【手続補正書】
【提出日】平成19年1月10日(2007.1.10)
【手続補正１】
【補正対象書類名】特許請求の範囲
【補正対象項目名】全文
【補正方法】変更
【補正の内容】
【特許請求の範囲】
【請求項１】
第一の制御部と第一の論理ボリュームとを有する第一の記憶装置と、
第二の制御部と第二の論理ボリュームとを有する第二の記憶装置と、
第三の制御部と第三の論理ボリュームとを有する第三の記憶装置とを有し、
情報処理装置から前記第一の論理ボリューム宛に書き込まれたデータを前記第一の記憶装置が受信した場合に、当該第一の記憶装置は、当該データの複製を前記第三の論理ボリュームに格納するために当該データを同期方式のリモートコピーによって前記第三の記憶装置に送信し、当該データを更に前記第一の論理ボリュームに格納し、
前記第一の記憶装置は、所定の指示に基づいて、前記情報処理装置から前記第一の論理ボリューム宛に書き込まれたデータの複製を前記第二の論理ボリュームに格納するために、当該データの非同期方式のリモートコピーによる前記第二の記憶装置への送信を開始し、
前記第三の記憶装置は前記第三の論理ボリュームのどの位置のデータが更新されたかを示す情報を記録するテーブルを複数有しており、前記所定の指示と関連したタイミングで、前記複数のテーブルの一つをクリアすることを特徴とするリモートコピーシステム。
【請求項２】
請求項１記載のリモートコピーシステムであって、
前記第三の記憶装置は、前記所定の指示と関連したタイミングで前記複数のテーブルの一つを前記第三の記憶装置にクリアさせるためのクリア要求に従って、前記複数のテーブルの一つをクリアすることを特徴とするリモートコピーシステム。
【請求項３】
請求項１記載のリモートコピーシステムであって、
前記第一の記憶装置は、繰り返し指示される前記所定の指示の度に、前記情報処理装置から前記第一の論理ボリューム宛に書き込まれたデータを前記第二の論理ボリュームに格納するために、当該データの非同期方式のリモートコピーによる前記第二の記憶装置への送信を開始し、
前記第三の記憶装置は、繰り返し発行されるクリア要求に従って、前記複数のテーブルを順番に一ずつクリアし、
各クリア要求は繰り返し指示される前記所定の指示のいずれかと関連したタイミングで前記複数のテーブルのいずれかを前記第三の記憶装置にクリアさせるための要求であることを特徴とするリモートコピーシステム。
【請求項４】
請求項１記載のリモートコピーシステムであって、前記第三の記憶装置によってクリアされるテーブルに記録されている情報には、前記第二の論理ボリュームに格納するために前記第一の記憶装置から前記第二の記憶装置に非同期方式のリモートコピーによって送信されたデータであって、尚且つ前記第三の論理ボリュームに格納するために前記第一の記憶装置から前記第三の記憶装置に同期方式のリモートコピーによって送信されたデータの、当該第三の論理ボリューム上での格納位置を示す情報が含まれることを特徴とするリモートコピーシステム。
【請求項５】
請求項１記載のリモートコピーシステムであって、前記第一の記憶装置に関する障害が生じた際、前記第三の記憶装置は前記複数のテーブルを用いて前記第三の論理ボリュームのデータの一部を選択し、選択されたデータを前記第二の論理ボリュームに格納するために前記第二の記憶装置に送信することを特徴とするリモートコピーシステム。
【請求項６】
請求項１記載のリモートコピーシステムであって、前記第三の記憶装置が有する前記複数のテーブルの各々には、ビットマップ形式にて前記第三の論理ボリュームのどの位置のデータが更新されたかを示す情報が記録されることを特徴とするリモートコピーシステム。
【請求項７】
第一の制御部と第一の論理ボリュームを有し、情報処理装置から当該第一の論理ボリューム宛のデータを受信して当該第一の論理ボリュームに書き込む第一の記憶装置と、
第二の制御部と第二の論理ボリュームとを有し、情報処理装置から前記第一の記憶装置が受信した前記第一の論理ボリューム宛のデータを当該第一の記憶装置から非同期方式のリモートコピーによって受信し、前記第二の論理ボリュームに当該データを格納する第二の記憶装置と、
第三の制御部と第三の論理ボリュームとを有し、情報処理装置から前記第一の記憶装置が受信した前記第一の論理ボリューム宛のデータを当該第一の記憶装置から同期方式のリモートコピーによって受信し、前記第三の論理ボリュームに当該データを格納する第三の記憶装置とを有し、
前記第一の記憶装置は、非同期方式のリモートコピーのために、前記情報処理装置から受信した前記第一の論理ボリューム宛のデータを、データが前記第二の記憶装置に送信される状態とデータが当該第一の記憶装置に留保される状態とを用いて管理し、前記第二の記憶装置に送信される状態のデータを当該第二の記憶装置に送信している間に前記情報処理装置から受信した前記第一の論理ボリューム宛のデータは前記第一の記憶装置に留保される状態のデータとして管理し、前記第二の記憶装置に送信される状態のデータを当該第二の記憶装置に送信し終えた後に、前記第一の記憶装置に留保される状態のデータを前記第二の記憶装置に送信される状態のデータに変更して前記第二の記憶装置に送信し、
前記第三の記憶装置には、前記第三の論理ボリュームのどの位置のデータが更新されたかを示す情報を記録する複数のビットマップが備えられており、前記第一の記憶装置におけるデータの状態の変化と対応するタイミングで、前記第三の記憶装置は前記複数のビットマップの内のいずれか一つをクリアすることを特徴とするリモートコピーシステム。
【請求項８】
請求項７記載のリモートコピーシステムであって、
前記第一の記憶装置は、繰り返し状態の変更を行って、前記情報処理装置から受信した前記第一の論理ボリューム宛のデータを非同期方式のリモートコピーによって前記第二の記憶装置に送信し、
前記第三の記憶装置は、繰り返し発行されるクリア要求に従って、前記複数のビットマップを順番に一ずつクリアし、
各クリア要求は、前記第一の記憶装置において繰り返し行われる状態の変更のいずれかと対応するタイミングにて前記第三の記憶装置に前記複数のビットマップのいずれかをクリアさせるための要求であることを特徴とするリモートコピーシステム。
【請求項９】
請求項７記載のリモートコピーシステムであって、前記第三の記憶装置は、非同期方式のリモートコピーによって前記第一の記憶装置から前記第二の記憶装置が受信したデータであって当該第三の記憶装置も同期方式のリモートコピーによって前記第一の記憶装置から受信したデータの前記第三の論理ボリュームにおける格納位置を示す情報が記録されている、前記複数のビットマップの内の一のビットマップをクリアすることを特徴とするリモートコピーシステム。
【請求項１０】
請求項７記載のリモートコピーシステムであって、前記第一の記憶装置に関する障害が生じた際に、前記第三の記憶装置は前記複数のビットマップを用いて前記第三の論理ボリューム内の一部データを特定し、特定された一部データを前記第二の論理ボリュームに格納するために前記第二の記憶装置に送信することを特徴とするリモートコピーシステム。
【請求項１１】
第一の制御部と第一の論理ボリュームとを有する第一の記憶装置から、第二の制御部と第二の論理ボリュームとを有する第二の記憶装置及び第三の制御部と第三の論理ボリュームとを有する第三の記憶装置へデータをリモートコピーするリモートコピー方法であって、
前記第一の記憶装置は、情報処理装置から前記第一の論理ボリューム宛に書き込まれたデータを受信した場合に、当該データの複製を前記第三の論理ボリュームに格納するために、当該データを同期方式のリモートコピーによって前記第三の記憶装置に送信し、当該データを更に前記第一の論理ボリュームに格納し、
前記第一の記憶装置は、所定の指示に基づいて、前記情報処理装置から前記第一の論理ボリューム宛に書き込まれたデータの複製を前記第二の論理ボリュームに格納するために、当該データの非同期方式のリモートコピーによる前記第二の記憶装置への送信を開始し、
前記第三の記憶装置は前記第三の論理ボリュームのどの位置のデータが更新されたかを示す情報を記録するテーブルを複数有しており、前記第一の記憶装置から同期方式のリモートコピーによってデータを受信した場合には当該複数のテーブルを用いて当該データの前記第三の論理ボリューム内での位置を記録し、前記所定の指示と関連したタイミングで、前記複数のテーブルの一つをクリアすることを特徴とするリモートコピー方法。
【請求項１２】
請求項１１記載のリモートコピー方法であって、
前記第三の記憶装置は、前記所定の指示と関連したタイミングで前記複数のテーブルの一つを当該第三の記憶装置にクリアさせるためのクリア要求に従って、前記複数のテーブルの一つをクリアすることを特徴とするリモートコピー方法。
【請求項１３】
請求項１１記載のリモートコピー方法であって、
前記第一の記憶装置は、繰り返し指示される前記所定の指示の度に、前記情報処理装置から前記第一の論理ボリューム宛に書きこまれたデータを前記第二の論理ボリュームに格納するために、当該データの非同期方式のリモートコピーによる前記第二の記憶装置への送信を開始し、
前記第三の記憶装置は、繰り返し発行されるクリア要求に従って、前記複数のテーブルを順番に一つずつクリアし、
各クリア要求は、繰り返し指示される前記所定の指示のいずれかと関連したタイミングで前記複数のテーブルのいずれかを前記第三の記憶装置にクリアさせるための要求であることを特徴とするリモートコピー方法。
【請求項１４】
請求項１１記載のリモートコピー方法であって、
前記第三の記憶装置によってクリアされるテーブルに記録されている情報には、前記第二の論理ボリュームに格納するために前記第一の記憶装置から前記第二の記憶装置に非同期方式のリモートコピーによって送信されたデータであって、尚且つ前記第三の論理ボリュームに格納するために前記第一の記憶装置から前記第三の記憶装置に同期方式のリモートコピー方式によって送信されたデータの、当該第三の論理ボリューム上での格納位置を示す情報が含まれていることを特徴とするリモートコピー方法。
【請求項１５】
請求項１１記載のリモートコピー方法であって、
前記第一の記憶装置に関する障害が生じた際、前記第三の記憶装置は前記複数のテーブルを用いて前記第三のボリュームのデータの一部を選択し、選択されたデータを前記第二の論理ボリュームに格納するために前記第二の記憶装置に送信することを特徴とするリモートコピー方法。
【請求項１６】
請求項１１記載のリモートコピー方法であって、
前記第三の記憶装置が有する前記複数のテーブルの各々には、ビットマップ形式にて前記第三の論理ボリュームのどの位置のデータが更新されたかを示す情報が記録されることを特徴とするリモートコピー方法。
【請求項１７】
第一の制御部と第一の論理ボリュームを有する第一の記憶装置から、第二の制御部と第二の論理ボリュームを有する第二の記憶装置及び第三の制御部と第三の論理ボリュームを有する第三の記憶装置の双方にデータをリモートコピーするリモートコピー方法であって、
前記第一の記憶装置は情報処理装置から受信した前記第一の論理ボリューム宛のデータを当該第一の論理ボリュームに書き込み、
前記第一の記憶装置は、前記第一の論理ボリュームのデータの複製を前記第三の論理ボリュームに格納するために、前記情報処理装置から受信した前記第一の論理ボリューム宛のデータを同期方式のリモートコピーにて前記第三の記憶装置に送信し、
前記第一の記憶装置は、前記第一の論理ボリュームのデータの複製を非同期方式のリモートコピーにて前記第二の論理ボリュームに格納するために、前記情報処理装置から受信した前記第一の論理ボリューム宛のデータを、データが前記第二の記憶装置に送信される状態とデータが当該第一の記憶装置に留保される状態とを用いて管理し、前記第二の記憶装置に送信される状態のデータを当該第二の記憶装置に送信している間に受信した前記第一の論理ボリューム宛のデータは前記第一の記憶装置に留保される状態のデータとして管理し、前記第二の記憶装置に送信される状態のデータを当該第二の記憶装置に送信し終えた後に前記第一の記憶装置に留保されていたデータを前記第二の記憶装置に送信される状態に変更して当該第二の記憶装置への送信を開始し、
前記第三の記憶装置は、前記第一の記憶装置から同期方式のリモートコピーにて受信したデータを前記第三の論理ボリュームに格納し、当該第三の記憶装置に備えられた複数のビットマップを用いて、当該第三の論理ボリュームのどの位置のデータが更新されたかを示す情報を記録し、
前記第三の記憶装置は、前記第一の記憶装置におけるデータの状態の変化と対応するタイミングで、前記複数のビットマップのいずれか一つをクリアすることを特徴とするリモートコピー方法。
【請求項１８】
請求項１７記載のリモートコピー方法であって、
前記第一の記憶装置は、繰り返し状態の変更を行って前記情報処理装置から前記第一の論理ボリューム宛に受信したデータを非同期方式のリモートコピーにて前記第二の記憶装置に送信し、
前記第三の記憶装置は、繰り返し発行されるクリア要求に従って、前記複数のビットマップを順番に一つずつクリアし、
各クリア要求は、前記第一の記憶装置において繰り返し行われる状態の変更のいずれかと対応するタイミングにて前記第三の記憶装置に前記複数のビットマップのいずれかをクリアさせるための要求であることを特徴とするリモートコピー方法。
【請求項１９】
請求項１７記載のリモートコピー方法であって、
前記第三の記憶装置は、非同期方式のリモートコピーによって前記第一の記憶装置から前記第二の記憶装置が受信したデータであって当該第三の記憶装置も同期方式のリモートコピーによって前記第一の記憶装置から受信したデータの、前記第三の論理ボリュームにおける格納位置を示す情報が記録されている、前記複数のビットマップの内の一つのビットマップをクリアすることを特徴とするリモートコピー方法。
【請求項２０】
請求項１７記載のリモートコピー方法であって、
前記第一の記憶装置に関する障害が生じた場合に、前記第三の記憶装置は前記複数のビットマップを用いて前記第三の論理ボリューム内の一部データを特定し、特定された一部データを前記第二の論理ボリュームに格納するために前記第二の記憶装置に送信することを特徴とするリモートコピー方法。